(57)【特許請求の範囲】
【請求項１】
記憶媒体に記憶された複数のソフトウェアを１つの計算機システムに選択的にインストールするインストール装置であって、
前記ソフトウェアがインストール済の項目を格納するインストール項目記憶手段と、
前記インストール項目記憶手段にインストール済の項目が格納されていない場合、または、前記インストール項目記憶手段に格納されたインストール済の項目の項目数が、所定のインストール可能数に満たない場合には、インストール可能な項目一覧から任意の項目の選択を可能とし、所定のインストール可能数に達している場合には、インストール指定を排除する選択制御手段と、
を有することを特徴とするインストール装置。
【請求項２】
前記インストール項目記憶手段は、書き換え可能な可換媒体であることを特徴とする請求項１記載のインストール装置。
【請求項３】
記憶媒体に記憶された複数のソフトウェアを選択的に１つの計算機システムへインストールするインストール装置であって、
前記計算機システムへインストール済のソフトウェアを記憶するイントール済みソフトウェア記憶手段と、
前記インストール済ソフトウェア記憶手段にインストール済のソフトウェアが記憶されかつ、該インストール済のソフトウェアが所定のインストール可能数以上であれば、該インストール済のソフトウェアのみを画面上に表示し、該インストール済のソフトウェアが所定のインストール可能数未満または前記インストール済ソフトウェア記憶手段にインストール済のソフトウェアが記憶されていない場合には、前記記憶媒体に記憶されているソフトウェアの一覧を画面上に表示するインストール可能ソフトウェア表示手段と、
前記インストール可能ソフトウェア表示手段によって画面上に表示されたインストール可能ソフトウェア中からインストール対象のソフトウェアを利用者が指定するインストール対象ソフトウェア指定手段と、
前記インストール対象ソフトウェア指定手段によって指定されたソフトウェアを前記記憶媒体から前記計算機システムへインストールするインストール手段と、
からなることを特徴とするインストール装置。
【請求項４】
記憶媒体に記憶された複数のソフトウェアを選択的に１つの計算機システムへインストールするインストール装置であって、
前記記憶媒体から前記計算機システムにインストール可能なソフトウェアの一覧を記憶するインストール可能ソフトウェア記憶手段と、
前記計算機システムへインストール済のソフトウェアの一覧を記憶するインストール済ソフトウェア記憶手段と、
前記インストール済ソフトウェア記憶手段にインストール済のソフトウェアが記憶されかつ該インストール済のソフトウェアが所定のインストール可能数以上であれば、該インストール済のソフトウェアのみを画面上に表示し、該インストール済のソフトウェアが所定のインストール可能数未満または前記インストール済ソフトウェア記憶手段にインストール済のソフトウェアが記憶されていない場合には、前記インストール可能ソフトウェア記憶手段の内容を画面上に表示するインストール可能ソフトウェア表示手段と、
前記インストール可能ソフトウェア表示手段によって画面上に表示されたインストール可能ソフトウェア中からインストール対象のソフトウェアを利用者が指定するインストール対象ソフトウェア指定手段と、
前記インストール対象ソフトウェア指定手段によって指定されたソフトウェアを前記記憶媒体から前記計算機システムへインストールするインストール手段と、
からなることを特徴とするインストール装置。
【請求項５】
前記インストール済ソフトウェア記憶手段は、交換可能な記憶媒体によって実現される請求項３または４記載のインストール装置。
【請求項６】
前記インストール済ソフトウェア記憶手段及び前記インストール可能ソフトウェア記憶手段が同一の交換可能な記憶媒体によって実現される請求項４記載のインストール装置。
【発明の詳細な説明】
【０００１】
【発明の属する技術分野】
本発明は、インストール装置に係り、特に、読み出し専用のメモリに蓄積されている複数のプログラムから任意のプログラムをインストールするためのプログラムを選択するためのインストール装置に関する。
【０００２】
【従来の技術】
図１６は、従来のインストールシステムの構成の例を示す。同図に示すインストール装置は、書換え不可の読み出し専用メモリ（ＲＯＭ）１０及び複数のインストーラ２０１  〜２０３  、各システムがインストールされるディスク３０より構成される。同図に示すシステムでは、各インストールするシステム毎にインストーラが提供されている。同図の例で、例えば、ＲＯＭ１０からシステムａをインストールする場合には、当該システムａをインストールするためのインストーラ２０１  が提供されている。インストーラ２０１  は、ＲＯＭ１０よりシステムａを読み込んで、ディスク３０にインストールする。
【０００３】
図１７は、従来のインストールシステムの動作を説明するための図であり、図１８、図１９はそれぞれの利用者計算機システム上のディスプレイに表示される例を示す。
まず、最初に、利用者が利用者計算機システム４０よりインストーラを起動させる指示を行うと、利用者端末のディスプレイ上に、図１８に示すように、ＲＯＭ１０に記憶されているシステムがインストールが可能なシステムとして表示される。ここで、利用者はインストールすべきシステム（例えば、専門辞書（１）情報処理）を選択する。これにより、インストーラ２０が起動し、ＲＯＭ１０よりインストール対象のシステム（専門辞書（１）情報処理）を読み出してディスク３０にインストールする。ここで、計算機システム側において、当該システム（専門辞書（１）情報処理）がインストールされたことを記憶する。
【０００４】
次に、利用者が２回めのインストールを試みる場合には、利用者計算機システム４０よりインストーラを起動させる指示を行うと、上記により１回目のインストールを行っているため、利用者端末のディスプレイ装置に、図１９に示すように、計算機システムを調べることによりインストール済となっているシステム名を表示するとともにＲＯＭ１０に記憶されているシステムがインストール可能なシステムとして表示される。これにより、利用者は、表示されているシステムと同じシステムをインストールしようとしていた場合には、当該システムのインストールを取り止め、また、表示されているシステム以外のシステムのインストールを試みる場合には、そのシステム（例えば、専門辞書（９）地学）を選択する。これにより、インストーラ２０、ＲＯＭ１０よりインストール対象のシステム（専門辞書（９）地学）を読み出してディスク３０にインストールする。次に、システム側において、インストールされたシステムとして（（専門辞書（９）地学）が記憶される。
【０００５】
【発明が解決しようとする課題】
しかしながら、上記従来のインストール装置では、単にインストールする項目をディスプレイに表示して、利用者にインストール可能なシステム項目を選択させるのみであり、販売戦略的に、所定の料金で提供できるシステムがｎ個（ｎ＞０）であるという制限がある場合には適用できない。例えば、あるパッケージにおいて、ＲＯＭに格納されているシステムのうち１つのシステムしかインストールできないという制約を付けることができない。これは、ディスプレイ表示されたシステム項目をインストールする際に何の制限もなく選択可能であるため、極端には、ＲＯＭに登録されているシステム全部をインストールしてしまうことも可能である。従って、各利用者計算機システム毎に、インストールシステム数の制限を設けたプログラムを内蔵することも可能であるが、各々の端末の仕様が異なっているために、プログラムの開発も含め、コストが膨大になるという問題がある。
【０００６】
本発明は、上記の点に鑑みなされたもので、各利用者計算機システム毎にインストールシステム数の制限用のプログラムをロードすることなく、販売戦略上、有効なインストールシステムの選択が可能なインストール装置を提供することを目的とする。
【０００７】
【課題を解決するための手段】
本発明は、記憶媒体に記憶された複数のソフトウェアを１つの計算機システムに選択的にインストールするインストール装置であって、
ソフトウェアがインストール済の項目を格納するインストール項目記憶手段と、
インストール項目記憶手段にインストール済の項目が格納されていない場合、または、インストール項目記憶手段に格納されたインストール済の項目の項目数が、所定のインストール可能数に満たない場合には、インストール可能な項目一覧から任意の項目の選択を可能とし、所定のインストール可能数に達している場合には、インストール指定を排除する選択制御手段と、を有する。
【０００９】
また、上記のインストール項目記憶手段は、書き換え可能な可換媒体である。
また、本発明は、記憶媒体に記憶された複数のソフトウェアを選択的に１つの計算機システムへインストールするインストール装置であって、
計算機システムへインストール済のソフトウェアを記憶するイントール済みソフトウェア記憶手段と、
インストール済ソフトウェア記憶手段にインストール済のソフトウェアが記憶されかつ、該インストール済のソフトウェアが所定のインストール可能数以上であれば、該インストール済のソフトウェアのみを画面上に表示し、該インストール済のソフトウェアが所定のインストール可能数未満またはインストール済ソフトウェア記憶手段にインストール済のソフトウェアが記憶されていない場合には、記憶媒体に記憶されているソフトウェアの一覧を画面上に表示するインストール可能ソフトウェア表示手段と、
インストール可能ソフトウェア表示手段によって画面上に表示されたインストール可能ソフトウェア中からインストール対象のソフトウェアを利用者が指定するインストール対象ソフトウェア指定手段と、
インストール対象ソフトウェア指定手段によって指定されたソフトウェアを記憶媒体から計算機システムへインストールするインストール手段と、からなる。
【００１０】
また、本発明は、記憶媒体に記憶された複数のソフトウェアを選択的に１つの計算機システムへインストールするインストール装置であって、
記憶媒体から計算機システムにインストール可能なソフトウェアの一覧を記憶するインストール可能ソフトウェア記憶手段と、
計算機システムへインストール済のソフトウェアの一覧を記憶するインストール済ソフトウェア記憶手段と、
インストール済ソフトウェア記憶手段にインストール済のソフトウェアが記憶されかつ該インストール済のソフトウェアが所定のインストール可能数以上であれば、該インストール済のソフトウェアのみを画面上に表示し、該インストール済のソフトウェアが所定のインストール可能数未満またはインストール済ソフトウェア記憶手段にインストール済のソフトウェアが記憶されていない場合には、インストール可能ソフトウェア記憶手段の内容を画面上に表示するインストール可能ソフトウェア表示手段と、
インストール可能ソフトウェア表示手段によって画面上に表示されたインストール可能ソフトウェア中からインストール対象のソフトウェアを利用者が指定するインストール対象ソフトウェア指定手段と、
インストール対象ソフトウェア指定手段によって指定されたソフトウェアを記憶媒体から計算機システムへインストールするインストール手段と、からなる。
【００１１】
また、上記のインストール済ソフトウェア記憶手段は、交換可能な記憶媒体によって実現される。
また、上記のインストール済ソフトウェア記憶手段及びインストール可能ソフトウェア記憶手段が同一の交換可能な記憶媒体によって実現される。
【００１２】
これにより、所定のインストール可能システム数がｎ個である場合に、既にインストールされた項目及び、インストール対象となるシステム項目の一覧及びインストーラを可変媒体に格納しておく。これにより、既に、当該可変媒体を用いてインストールされたシステム項目は何度でもインストール指定することが可能であるが、選択項目がｎ個を越えるシステム項目は選択することができないという制限を設けることが可能となる。
【００１３】
また、常に表示手段には、インストール対象項目一覧が表示されることになるため、インストール処理が失敗しているような場合に、再度インストール対象項目一覧より選択入力が可能となる。
さらに、インストーラを可換媒体に格納することにより、計算機システム内にインストーラを常駐させる必要がないため、各々の計算機システム毎にインストーラのロードを行う必要がない。
【００１４】
【発明の実施の形態】
図１は、本発明の提供システムを示す。同図に示すように、提供するシステムは、計算機システム４００と当該計算機システム毎に提供されるＣＤ−ＲＯＭ１００、ＣＤ−ＲＯＭ１００から任意のシステムをインストールするためのインストール項目ＦＤ２００からなる。利用者へ提供されるハードウェアはこの３点であり、ＣＤ−ＲＯＭ１００から所定数のシステムをインストール項目ＦＤ２００のインストーラにより所望のシステムを計算機システム４００内のディスクにインストールして使用することが前提となる。
【００１５】
本発明は、ある一定の金額でハードウェア及びソフトウェアをセットして販売する場合に、ユーザは供給側が用意するソフトウェアを全部は使用しない、及びソフトウェアや提供情報も有償であるという観点から、提供する全ソフトウェアのうち、所定の料金に対応する数のソフトウェアに限って自由に選択して利用してもらうという目的である。
【００１６】
図２は、本発明のインストールシステムの構成を示す。同図に示すインストールシステムは、読み出し専用の媒体であり、インストールする複数のシステム（ソフトウェア）及び情報が格納されているＣＤ−ＲＯＭ１００、インストール対象となるＣＤ−ＲＯＭ１００に格納されているシステムの項目名の一覧、インストール可能な限定数が予め格納されているインストール項目ＦＤ２００，インストールシステムを制御するインストールシステム選択装置４１０、インストール項目ＦＤ２００内のインストーラによりシステムがインストールされるディスク４２０、インストール項目ＦＤ２００のインストーラ２３０の起動をキーボードやマウス等の入力部４３０、インストール選択項目等が表示されるディスプレイ４４０を備える計算機システム４００より構成される。
【００１７】
計算機システム４００のインストールシステム選択装置４１０は、インストール一覧ＦＤ２００の登録内容を参照して、既にインストール済に項目があるかないかを判定し、その判定結果によりディスプレイ４４０に選択可能とするシステムの項目名の表示を制御する。
【００１８】
図３は、本発明のインストールＦＤ２００の概念構成を示す。ＦＤ２００は、ＣＤ−ＲＯＭ１００に格納されているインストール対象の項目に対応する予め提供可能なインストール項目の一覧が格納されるインストール項目格納部２１０、既に格納済のインストール済項目を格納するインストール済項目格納部２２０、インストーラプログラムを格納するインストーラ格納部２３０及び、ディスク３００へのインストールが可能な限度数が設定されているインストール可能数記憶部２４０より構成される。
【００１９】
図４は、本発明のインストールシステム選択装置の構成を示す。インストールシステム選択装置４１０は、入力部４３０及びディスプレイ４４０との間で選択入力情報及び項目表示情報のやり取りを行う制御部４１１、ＦＤ２００を検索するＦＤ検索部４１２、ＦＤ２００内の複数のインストーラから利用者により選択されたシステムに対応するインストールを指示するインストーラ指示部４１３、ＦＤ２００のインストーラによるディスクへのインストールの終了が通知されると、ＦＤ２００のインストール済項目格納部２２０の内容を更新するＦＤ更新部４１５より構成される。
【００２０】
次に、上記の動作の概要を説明する。
図５は、本発明の処理の概要を示すフローチャートである。
ステップ１０１）  予め、ＣＤ−ＲＯＭ１００に格納されているシステムのうち、利用者に提供可能なシステム数を選択限定数としてＦＤ２００内のインストール可能数記憶部２４０に設定しておく。
【００２１】
ステップ１０２）  利用者は、入力部４３０から制御部４１２を介してインストールシステム選択装置４１０に起動要求を入力する。
ステップ１０３）  インストールシステム選択装置４１０のＦＤ検索部４１２は、インストール項目ＦＤ２００を読み、記憶されているインストール対象となるＣＤ−ＲＯＭ１００に登録されている項目名をインストール項目格納部２１０から取得すると共に、インストール済項目格納部２２０にインストール済のシステム項目が有る場合には、当該項目も取得する。
【００２２】
ステップ１０４）  ここで、既にインストール済の項目が格納されている場合には、ステップ１０５に移行し、また何もインストールされていない場合には、ステップ１０６に移行する。
ステップ１０５）  インストール済のカウント（インストール済項目部２２０に書き込まれている項目の数）が、上記のステップ１０１でインストール可能数記憶部２４０に設定されている選択限定数Ｎに満たなければステップ１０６に移行し、選択限定数Ｎに達している場合には、ステップ１１０に移行する。
【００２３】
ステップ１０６）  インストール項目ＦＤ２００にインストール済の項目が登録されていない場合または、インストール済の項目数が選択限定数Ｎに達していない場合には、ディスプレイ装置４４０に、当該ＦＤ２００のインストール項目格納部２１０から取得したインストール項目の一覧を表示する。
【００２４】
ステップ１０７）  利用者は、ディスプレイ装置４４０に表示されたインストール項目一覧よりインストールしたい項目を選択入力する。
ステップ１０８）  制御部４１１は、利用者が入力した項目をＦＤ検索部４１２に通知し、ＦＤ検索部４１２は、選択された項目（システム名）に対応するインストーラをインストーラ格納部２３０から取得し、インストーラ指示部４１３によりインストーラが起動される。これにより、ＣＤ−ＲＯＭ１００より該当するシステム（製品）を読み込んで、ディスク４２０にインストールする。
【００２５】
ステップ１０９）  ＦＤ更新部４１５は、インストーラ指示部４１３からインストール済が通知されると、インストール済の項目をＦＤ２００のインストール済項目格納部２２０に登録する。
ステップ１１０）  ステップ１０５において、インストール済カウントが所定の限定数に達していたら、制御部４１１は、ＦＤ２００のインストール済項目格納部２２０に格納されている選択済（インストール済）の項目のみをディスプレイ装置４４０にインストール可能な項目として表示する。即ち、このような表示をすることにより、利用者が再度、他の項目を選択しようとしても、インストール可能な項目として既にインストールされている項目しか表示されないため、所定の限定数以上のインストールを防止することが可能となる。
【００２６】
【実施例】
以下、本発明の実施例を図面と共に詳細に説明する。
以下の実施例では、機械翻訳システムにおいて、日英翻訳システム、英日翻訳システム、辞書システムを１つの提供媒体であるＣＤ−ＲＯＭ１００に格納しているものとし、インストールシステムは、別の媒体であるＦＤ２００に格納されているものとして説明する。
【００２７】
［第１の実施例］
図６は、本発明の第１の実施例のインストール項目ＦＤの例（インストール前）を示す。このＦＤ２００は、最初にインストール可能数記憶部２４０にインストール可能数として１回が指定されている。インストール項目格納部２１０には、ＣＤ−ＲＯＭ１００に格納されている全システム（日英翻訳システム、英日翻訳システム、辞書システム）の項目名が格納され、インストール済項目格納部２２０は、まだ、インストール済となったシステムは存在しないので、空白である。インストーラ格納部２３０は、日英翻訳システムのインストーラとしてインストーラａ、英日翻訳システムのインストーラとしてインストーラｂ、辞書システムとしてインストーラｃが格納されている。
【００２８】
（１）  図７は、本発明の第１の実施例のディスプレイの例（インストール指定時）を示す。最初に、利用者がシステムを起動させると、インストール選択装置４１０は、インストール項目ＦＤ２００のインストール項目格納部２１０より全インストール項目を読み出して、図７に示すようなディスプレイ画面を表示する。ここで、利用者がマウスにより『日英翻訳システム』を指定する。
【００２９】
これにより、インストーラ指示部４１３によりＦＤ２００のインストーラ格納部２３０の『日英翻訳システム』に対応するインストーラａを取得し、当該インストーラａを起動させてＣＤ−ＲＯＭ１００から『日英翻訳システム』のシステムをディスク４２０にインストールする。
【００３０】
インストールカウンタ４１４は、インストーラ指示部４１３よりインストール済を通知されると、カウント値をインクリメントし、カウント値＝１となる。
ＦＤ更新部４１５は、インストーラ指示部４１３よりインストール済が通知されると、ＦＤ２００のインストール済項目格納部２２０に『日英翻訳システム』を図８に示すように書込み、更新する。
（２）  次に、利用者から再度、インストール要求が発行されると、インストール選択装置４１０の制御部４１１は、当該要求をＦＤ検索部４１２に通知する。
【００３１】
ＦＤ検索部４１２は、ＦＤ２００のインストール可能数記憶部２４０を参照し、インストール済項目格納部２２０に格納されている項目の数と比較する。このとき、インストール済項目格納部２２０の項目数とインストール可能記憶部２４０に記憶されている値が双方共に１回であるので、ＦＤ検索部４１２は、ＦＤ２００のインストール済項目格納部２２０の内容を読み出して、制御部４１１に転送する。これにより、制御部４１１は、図９に示すように、ディスプレイ装置４４０に表示する。同図において、“インストール可能な製品”の欄に表示されている内容「日英翻訳システム」がＦＤ検索部４１２から転送された内容である。また、“インストール済の製品”の欄の表示は、計算機システム内に記憶されている内容であって、この内容はファイルとして記憶されていてもよいし、インストールされたシステムに固有のファイル名に基づいて抽出してもよい。
【００３２】
（３）  これにより、当該計算機システム４００の利用者は、既に、提供されたシステムにおいて、インストール可能数（＝１回）のインストールが終了しているために、他のインストール項目のインストールは排他される。
［第２の実施例］
次に、第２の実施例として、図１０に示される内容のＦＤ２００が提供された場合の例を示す。同図に示すＦＤ２００の内容は、インストール可能数記憶部２４０には、インストール可能数として２回が指定されており、インストール済項目格納部２２０には、既にインストールされている『日英翻訳システム』が格納されている。この時点におけるディスプレイ装置４４０の表示は、図１１のようになる。つまり、“インストール可能な製品”の欄には、もう１つのインストール項目の指定が可能であるので、既にインストール済の『日英翻訳システム』を含めてＦＤ２００のインストール項目格納部２１０内の全項目が表示されている。
【００３３】
（１）  図１１に示すディスプレイ装置４４０の表示画面より、利用者が『辞書システム』を選択したものとする。制御部４１１は、まず、利用者により選択された項目『辞書システム』の情報をＦＤ検索部４１２に通知する。ＦＤ検索部４１２は、インストール済項目格納部２１０に書き込まれている項目数とインストール可能数記憶部２４０の値を比較して、項目数＜インストール可能数記憶部２４０の値であれば、『辞書システム』のインストールを認める。
【００３４】
（２）  ＦＤ検索部４１２は、インストール指定項目の『辞書システム』でインストーラ格納部２３０を検索して、『辞書システム』に対応するインストーラｃを取得してインストーラ指示部４１３に通知する。インストーラ指示部４１３は、当該インストーラｃを起動させてＣＤ−ＲＯＭ１００より『辞書システム』をディスク４２０にインストールさせる。
【００３５】
（３）  ＦＤ更新部４１５は、インストーラ指示部４１３よりインストールの完了が通知されると、図１２に示すように、ＦＤ２００のインストール済項目格納部２２０に『辞書システム』を書き込み、更新する。
（４）  次に、利用者から再度、インストール要求が発行されると、制御部４１１は、ＦＤ検索部４１２に通知する。
【００３６】
（５）  ＦＤ検索部４１２は、ＦＤ２００を検索して、インストール項目格納部２２０の項目数と、インストール可能数記憶部２４０の値を比較する。このとき、カウント値＝インストール可能数記憶部２４０の値となっているため、ＦＤ２００のインストール済項目格納部２２０より『日英翻訳システム』と『辞書システム』を取得して、制御部４１１に転送する。
【００３７】
（６）  制御部４１１は、これにより図１３に示すように、“インストール可能な製品”の欄には、既にインストール済の『日英翻訳システム』と『辞書システム』のみを表示し、更なるインストール選択入力を排他する。
なお、上記の実施例では、ＦＤ２００内に既に利用者によりインストール指定されたインストール済項目をインストール済項目格納部２２０に格納する例を示しているが、インストール項目格納部２１０の各インストール可能項目において、既にインストール済の項目には、表１に示すように、マークを付与して、未インストール、インストール済の区別をすることも可能である。
【００３８】
【表１】
0003612631.tif 000002
【００３９】
表１において、現在『日英翻訳システム』のみがインストールされていることを示しており、所定のインストール限定数が１である場合には、当該『日英翻訳システム』以外のインストールができないことを意味し、インストール限定数が２である場合には、当該『日英翻訳システム』以外の１つの項目のインストールが可能となる。
【００４０】
このように、本実施例におけるインストールシステムは、何もインストールしていない初期状態では、『日英翻訳システム』をインストールすると、このインストールシステムでインストールしたという情報をＦＤに記憶する。３システム可能なインストーラで、１システムについてのみインストール可能という制限をつけると、１システムをインストールしたという情報によって、その後は、他の２システムをインストールすることができなくなる。
【００４１】
［第３の実施例］
次に、第３の実施例として、インストール済となったインストール項目としてＦＤ２００のインストール済項目格納部２２０に格納されたインストール済項目をディスプレイ画面に表示する例である。
【００４２】
図１４は、本発明の第３の実施例のインストール項目ＦＤの構成を示す図である。同図は、図１２に示す第２の実施例のＦＤの構成よりインストール可能記憶部２４０を除いた構成である。インストール制限回数は、システム側から指定する等本実施例では、任意であるものとする。
【００４３】
同図において、インストール項目格納部２１０に格納されている項目より、『日英翻訳システム』がインストールされると、インストール済項目格納部２２０に『日英翻訳システム』が書き込まれる。
この状態において、利用者からインストール要求が発行されると、ディスプレイ画面には、図１５に示すように、インストール済項目格納部２２０に格納されている『日英翻訳システム』のみがディスプレイ画面上のインストール可能な製品表示欄に表示される。インストール済の製品表示欄には、前述の実施例と同様にシステムから既にインストール済となっている『日英翻訳システム』が表示される。
【００４４】
なお、本発明は、上記の実施例に限定されることなく、特許請求の範囲内で種々変更・応用が可能である。
【００４５】
【発明の効果】
上述のように、本発明のインストール装置によれば、ＣＤ−ＲＯＭに格納されるインストール可能なシステム（製品）をインストールする際に、まず、インストール可能な製品が一覧表として表示される。また、既にインストール済のシステムは、インストール済製品の一覧として表示される。利用者は、この表示を見ることで、当該時点でインストールされている状態を把握することができ、適切な処理を選択し、インストールすることが可能である。
【００４６】
また、インストールしたシステムを記憶しておくことにより、既にインストールされたシステムの数を管理できるため、ｎシステム可能なインストーラでｍ（ｎ＞ｍ）システムをインストール可能という制限を付けることにより、そのｍ＋１以上のシステムのインストール要求を排他することができる。
【００４７】
さらに、計算機システム内部にインストーラを常駐させずに、可換媒体にインストーラを保持することにより、各々の装置にインストーラをロードしなくてもよく、インストール許可された製品に対応するインストーラを可換媒体から読み出して使用すればよい。
【図面の簡単な説明】
【図１】本発明の提供システムを示す図である。
【図２】本発明のインストール装置の構成図である。
【図３】本発明のインストール項目ＦＤの構成を示す図である。
【図４】本発明のインストールシステム選択装置の構成図である。
【図５】本発明の処理の概要を示すフローチャートである。
【図６】本発明の第１の実施例のインストール項目ＦＤの例を示す図（インストール前）である。
【図７】本発明の第１の実施例のディスプレイの例を示す図（インストール指定時）である。
【図８】本発明の第１の実施例のインストール項目ＦＤの例を示す図（１回のインストール後）である。
【図９】本発明の第１の実施例のディスプレイの例を示す図（所定回数のインストール完了後）である。
【図１０】本発明の第２の実施例のインストール項目ＦＤの例を示す図（インストール前）である。
【図１１】本発明の第２の実施例のディスプレイの例を示す図（１回インストール完了後）である。
【図１２】本発明の第２の実施例のインストール項目ＦＤの例を示す図である。
【図１３】本発明の第２の実施例のディスプレイの例を示す図（２回インストール完了後）である。
【図１４】本発明の第３の実施例のインストール項目ＦＤの構成を示す図である。
【図１５】本発明の第３の実施例のディスプレイの例を示す図である。
【図１６】従来のインストールシステムの構成図である。
【図１７】従来のインストールシステムの動作を説明するための図である。
【図１８】従来のインストール選択画面の例を示す図（１）である。
【図１９】従来のインストール選択画面の例を示す図（２）である。
【符号の説明】
１００  ＣＤ−ＲＯＭ
２００  ＦＤ
２１０  インストール項目格納部
２２０  インストール済項目格納部
２３０  インストーラ格納部
２４０  インストール可能数記憶部
４００  計算機システム
４１０  インストールシステム選択装置
４１１  制御部
４１２  ＦＤ検索部
４１３  インストーラ指示部
４１５  ＦＤ更新部
４２０  ディスク
４３０  入力部
４４０  ディスプレイ
【図１】
0003612631.tif 000003
【図２】
0003612631.tif 000004
【図３】
0003612631.tif 000005
【図４】
0003612631.tif 000006
【図５】
0003612631.tif 000007
【図６】
0003612631.tif 000008
【図７】
0003612631.tif 000009
【図８】
0003612631.tif 000010
【図９】
0003612631.tif 000011
【図１０】
0003612631.tif 000012
【図１１】
0003612631.tif 000013
【図１２】
0003612631.tif 000014
【図１３】
0003612631.tif 000015
【図１４】
0003612631.tif 000016
【図１５】
0003612631.tif 000017
【図１６】
0003612631.tif 000018
【図１７】
0003612631.tif 000019
【図１８】
0003612631.tif 000020
【図１９】
0003612631.tif 000021